(57)【要約】【課題】表示装置におけるタッチパネル１又はＬＣＤパネル３とインターフェース回路基板等との接続構造に対し、接続部材としてのＦＰＣの数を低減すると共に、接続部材以外の保持部材を不要とすることにより製造コストを低減する。【解決手段】タッチパネル１に形成され、該タッチパネル１の駆動信号配線１７に設けられたタッチパネル接続端子１３と、ＬＣＤパネル３に設けられ、一端側にタッチパネル１を駆動するインターフェース回路が接続されると共に、他端側に連絡用接続端子３３が設けられた連絡配線部と、タッチパネル接続端子１３と連絡用接続端子３３とを電気的に接続するバネコネクタ６とを備える。そして、バネコネクタ６は、弾性を有する導電材料により構成され、このバネコネクタ６の弾性により、タッチパネル接続端子１３と上記連絡用接続端子３３との双方に接触している。【選択図】図２
2005044247.tif 000002
【特許請求の範囲】
【請求項１】
表示パネルと、
上記表示パネルに積層されたタッチパネルとを備える表示装置であって、
上記タッチパネルに形成され、該タッチパネルの駆動信号配線に設けられたタッチパネル接続端子と、
上記表示パネルに設けられ、一端側にタッチパネルを駆動するインターフェース回路が接続されると共に、他端側に連絡用接続端子が設けられた連絡配線部と、
上記タッチパネル接続端子と上記連絡用接続端子とを電気的に接続する接続部材とを備え、
上記接続部材は、弾性を有する導電材料により構成され、該接続部材の弾性により、上記タッチパネル接続端子と上記連絡用接続端子との双方に接触している
ことを特徴とする表示装置。
【請求項２】
請求項１において、
上記連絡配線部の一端側は、表示パネルの駆動信号配線と共に、１つのフレキシブルプリント基板に接続され、該フレキシブルプリント基板を介してインターフェース回路に接続されている
ことを特徴とする表示装置。
【請求項３】
表示パネルと、
上記表示パネルに積層されたタッチパネルとを備える表示装置であって、
上記表示パネルに形成され、該表示パネルの駆動信号配線に設けられた表示パネル接続端子と、
上記タッチパネルに設けられ、一端側に表示パネルを駆動するインターフェース回路が接続されると共に、他端側に連絡用接続端子が設けられた連絡配線部と、
上記表示パネル接続端子と上記連絡用接続端子とを電気的に接続する接続部材とを備え、
上記接続部材は、弾性を有する導電材料により構成され、該接続部材の弾性により、上記表示パネル接続端子と上記連絡用接続端子との双方に接触している
ことを特徴とする表示装置。
【請求項４】
請求項３において、
上記連絡配線部の一端側は、タッチパネルの駆動信号配線と共に、１つのフレキシブルプリント基板に接続され、該フレキシブルプリント基板を介してインターフェース回路に接続されている
ことを特徴とする表示装置。
【請求項５】
請求項１又は３において、
上記接続部材は、各接続端子との接触部分が露出していると共に、該接触部分以外の部分が絶縁材料により被覆されている
ことを特徴とする表示装置。
【請求項６】
請求項１又は３において、
上記接続部材と、各接続端子との接触部分は、樹脂材料により固着されている
ことを特徴とする表示装置。
【請求項７】
請求項１又は３において、
上記表示パネル及びタッチパネルは、互いに対向する一対の基板により構成され、
表示パネルの一方の基板と、タッチパネルの一方の基板とは、同一の基板であり、該表示パネル及びタッチパネルに共通の基板に構成されている
ことを特徴とする表示装置。
【発明の詳細な説明】
【技術分野】
【０００１】
本発明は、表示装置に関し、特に、表示パネルとタッチパネルとを備える表示装置に係るものである。
【背景技術】
【０００２】
従来より、例えば液晶層や有機ＥＬ層等の表示媒体層を有する表示パネルと、該表示パネルに積層されたタッチパネルとを備える表示装置は知られており、携帯端末等の表示部として好適に利用されている。一例として、表示パネルが液晶表示パネル（以降、ＬＣＤパネルと称する）である一般的な液晶表示装置について、図１０及び図１１を参照して説明する。
【０００３】
液晶表示装置は、図１１に示すように、ＬＣＤパネル１０３と、該ＬＣＤパネル１０３に対し、両面テープ１０５を介して接合されたタッチパネル１０１とを備えている。
【０００４】
上記ＬＣＤパネル１０３は、透明な一対の絶縁性基板と、該絶縁性基板の間に封入された液晶層とにより構成されている。一方、タッチパネル１０１は、透明な一対の絶縁性基板が粘着層１１５を介して貼り合わされて構成されている。
【０００５】
一般に、タッチパネル１０１には、図１０及び図１１に示すように、該タッチパネル１０１を駆動するインターフェース回路基板（図示省略）に接続するためのタッチパネル用ＦＰＣ（フレキシブルプリント基板、以降では、ＦＰＣと略称することもある）１０２が設けられている。ＦＰＣ１０２は、タッチパネル１０１の接続端子（図示省略）に対し、異方性導電膜や半田等により電気的に接続されている。
【０００６】
また、ＬＣＤパネル１０３には、図１０に示すように、該ＬＣＤパネル１０３を駆動するインターフェース回路基板（図示省略）に接続するためのＬＣＤパネル用ＦＰＣ１０４が設けられている。ＦＰＣ１０４は、上記ＦＰＣ１０２と同様に、ＬＣＤパネル１３の接続端子（図示省略）に対し、異方性導電膜や半田等により電気的に接続されている。そして、このＦＰＣ１０４は、図１０に示すように、上記ＦＰＣ１０２の引き出し方向と交差する方向に引き出されている。
【０００７】
このように、タッチパネルを備える上記従来の液晶表示装置は、互いに異なる方向に延びるタッチパネル用のＦＰＣ１０２と、ＬＣＤパネル用のＦＰＣ１０４との双方を備えている。
【０００８】
しかし、２つのＦＰＣ１０２，１０４が、２方向にそれぞれ延びていると、ＬＣＤパネル１０３及びタッチパネル１０１の額縁面積が増大してしまうという問題がある。
【０００９】
また、ＦＰＣ１０２，１０４と、タッチパネル１０１又はＬＣＤパネル１０３との接続状態を確実に維持するためには、搬送作業中や組立作業中に該ＦＰＣ１０２，１０４に外力が加わったとしても、該ＦＰＣ１０２，１０４が各パネル１０１，１０３等から剥がれないように、充分な接続強度が必要となる。すなわち、上記従来の表示装置では、２つのＦＰＣ１０２，１０４を備えているため、その２箇所において、それぞれ接続面積を大きくして接続強度を高めなければならない。
【００１０】
また、一般に、ＦＰＣ１０２，１０４は、接続構造に応じて製品毎に専用の設計が必要となるため、汎用度が低いという問題もある。以上のことから、タッチパネル１０１やＬＣＤパネル１０３と、他のインターフェース回路基板とを接続するために、ＦＰＣの数は少ない方が好ましい。
【００１１】
そこで、ＦＰＣの代わりに、ラバーコネクタを利用して、タッチパネル及びＬＣＤパネルと、インターフェース回路基板とを接続することによりＦＰＣを省略することが知られている（例えば、特許文献１参照）。
【００１２】
すなわち、図１２に示すように、タッチパネル２０２とＬＣＤパネル２０１とは、互いに積層された状態で、ラバーコネクタ２０３の側部に形成された凹溝内に差し込まれている。ラバーコネクタ２０３の内部には、タッチパネル２０２の接続端子に接続される導通体２０６と、ＬＣＤパネルの接続端子に接続される導通体２０７とが埋設されている。
【００１３】
そして、上記タッチパネル２０２、ＬＣＤパネル２０１、及びラバーコネクタ２０３は、液晶駆動基板２０４の上に載置された状態で、上方から押さえ枠２０５により押さえ込まれることにより保持されている。このとき、ラバーコネクタ２０３が上下方向に圧縮されるため、タッチパネル２０２の接続端子と導通体２０６とが接続されると共に、ＬＣＤパネルの接続端子と導通体２０７とが接続されるようになっている。また、ラバーコネクタ２０３の導電体２０６、２０７と液晶駆動基板２０４との接続も同時に行っている。
【特許文献１】特開昭６１−７８７２号公報
【発明の開示】
【発明が解決しようとする課題】
【００１４】
しかし、上記特許文献１に示されるような従来の表示装置では、接続部材であるラバーコネクタ２０３とタッチパネル２０２又はＬＣＤパネル２０１の接続端子との接続状態と、ラバーコネクタ２０３と液晶駆動基板２０４との接続状態とをそれぞれ維持するために、接続部材の他に、接続部材を押さえ込んで圧縮保持するための保持部材（押さえ枠２０５）が、別途必要になってしまう。その結果、上記保持部材のために製造コストが増大するという問題がある。
【００１５】
本発明は斯かる諸点に鑑みてなされたものであり、その目的とするところは、表示装置におけるタッチパネル又は表示パネルとインターフェース回路基板等との接続構造に対し、接続部材としてのＦＰＣの数を低減すると共に、接続部材以外の保持部材を不要とすることにより、製造コストを低減しようとすることにある。
【課題を解決するための手段】
【００１６】
上記の目的を達成するために、この発明では、接続部材自体の弾性により、該接続部材と、タッチパネル又は表示パネルの接続端子とを接続して保持すると共に、タッチパネル及び表示パネルの一方のパネルの接続端子を、他方のパネルに設けた連絡配線部の連絡用接続端子に対し、上記接続部材により接続するようにした。
【００１７】
具体的に、本発明に係る表示装置は、表示パネルと、上記表示パネルに積層されたタッチパネルとを備える表示装置であって、上記タッチパネルに形成され、該タッチパネルの駆動信号配線に設けられたタッチパネル接続端子と、上記表示パネルに設けられ、一端側にタッチパネルを駆動するインターフェース回路が接続されると共に、他端側に連絡用接続端子が設けられた連絡配線部と、上記タッチパネル接続端子と上記連絡用接続端子とを電気的に接続する接続部材とを備え、上記接続部材は、弾性を有する導電材料により構成され、該接続部材の弾性により、上記タッチパネル接続端子と上記連絡用接続端子との双方に接触している。
【００１８】
上記連絡配線部の一端側は、表示パネルの駆動信号配線と共に、１つのフレキシブルプリント基板に接続され、該フレキシブルプリント基板を介してインターフェース回路に接続されていることが好ましい。
【００１９】
また、本発明に係る表示装置は、表示パネルと、上記表示パネルに積層されたタッチパネルとを備える表示装置であって、上記表示パネルに形成され、該表示パネルの駆動信号配線に設けられた表示パネル接続端子と、上記タッチパネルに設けられ、一端側に表示パネルを駆動するインターフェース回路が接続されると共に、他端側に連絡用接続端子が設けられた連絡配線部と、上記表示パネル接続端子と上記連絡用接続端子とを電気的に接続する接続部材とを備え、上記接続部材は、弾性を有する導電材料により構成され、該接続部材の弾性により、上記表示パネル接続端子と上記連絡用接続端子との双方に接触している。
【００２０】
上記連絡配線部の一端側は、タッチパネルの駆動信号配線と共に、１つのフレキシブルプリント基板に接続され、該フレキシブルプリント基板を介してインターフェース回路に接続されていることが好ましい。
【００２１】
上記接続部材は、各接続端子との接触部分が露出していると共に、該接触部分以外の部分が絶縁材料により被覆されているようにしてもよい。
【００２２】
上記接続部材と、各接続端子との接触部分は、樹脂材料により固着されているようにしてもよい。
【００２３】
上記表示パネル及びタッチパネルは、互いに対向する一対の基板により構成され、表示パネルの一方の基板と、タッチパネルの一方の基板とは、同一の基板であり、該表示パネル及びタッチパネルに共通の基板に構成されていることが好ましい。
【００２４】
すなわち、連絡配線部が表示パネルに形成されている場合には、接続部材は、上記表示パネルの連絡用接続端子と、タッチパネルのタッチパネル接続端子との双方に対し、該接続部材自体の弾性により接触している。一方、連絡配線部がタッチパネルに形成されている場合には、接続部材は、上記タッチパネルの連絡用接続端子と、表示パネルの表示パネル接続端子との双方に対し、該接続部材自体の弾性により接触している。
【００２５】
そのため、本発明では、タッチパネル又は表示パネルの接続端子と、接続部材との接続状態は、該接続部材自体によって維持される。つまり、上記接続端子と接続部材との接続状態を維持するための保持部材を不要とすることができる。
【００２６】
さらに、タッチパネル又は表示パネルの接続端子を、ＦＰＣではなく、接続部材を介して連絡配線部に接続するようにしたので、ＦＰＣの数は低減される。
【００２７】
典型的には、例えば、連絡配線部の一端側を、表示パネルの駆動信号配線と共に、１つのＦＰＣを接続することにより、表示パネル及びタッチパネルに接続されるＦＰＣが１つにまとめられるため、従来のように２つのＦＰＣが設けられた表示装置に比べて、ＦＰＣの数が低減される。
【００２８】
また、接続部材における、各接続端子との接触部以外の部分を、絶縁材料により被覆することにより、表示パネル又はタッチパネルと、インターフェース回路との間で信号を確実に伝えることが可能となる。
【００２９】
また、接続部材と各接続端子との各接触部分を、樹脂材料により固着することにより、接触状態をより確実に維持することが可能となる。
【発明の効果】
【００３０】
本発明によると、接続部材自体により、接続部材と、タッチパネル又は表示パネルの接続端子とを接続して保持するようにしたので、その接続部材と接続端子との接続状態を維持するための保持部材を不要とすることができる。すなわち、製造コストを低減することができる。
【００３１】
そのことに加えて、汎用度の高い接続部材を用いて、タッチパネル又は表示パネルの接続端子を、ＦＰＣではなく、接続部材を介して連絡用接続端子に接続するようにしたので、ＦＰＣの数を低減することができる。
【発明を実施するための最良の形態】
【００３２】
以下、本発明の実施形態を図面に基づいて詳細に説明する。尚、本発明は、以下の実施形態に限定されるものではない。
【００３３】
《発明の実施形態１》
図１〜図４は、本発明に係る表示装置の実施形態１を示している。図１は、表示装置の主要部を示す平面図であり、図２は、図１におけるII−II線断面図である。
【００３４】
図１に示すように、本実施形態の表示装置は、表示パネル３である液晶表示パネル（以降、ＬＣＤパネルと称する）と、該ＬＣＤパネル３の上に積層されたタッチパネル１とにより構成された本体パネル１０を備える液晶表示装置に構成されている。ＬＣＤパネル３及びタッチパネル１は、後述のバネコネクタ６により狭持して固定されている。本体パネル１０には、該本体パネルに駆動信号を供給するための共通ＦＰＣ７（フレキシブルプリント基板）が設けられている。
【００３５】
上記タッチパネル１は、例えば、いわゆるアナログ式のタッチパネルに構成されている。タッチパネル１は、図２に示すように、透明な絶縁性の下側基板１２と、該下側基板１２に対向して設けられた透明な絶縁性の上側基板１１とが粘着層１５を介して貼り合わされて構成されている。尚、タッチパネル１を、いわゆるデジタル式のタッチパネルにより構成してもよい。
【００３６】
上記上側基板１１及び下側基板１２には、該タッチパネル１を駆動するための駆動信号配線１７が複数設けられている。駆動信号配線１７の端部は、図１を拡大した平面図である図３に示すように、下側基板１２における有効表示領域の外側の額縁領域へ延びており、該額縁領域に並んで形成された複数のタッチパネル接続端子１３にそれぞれ接続されている。
【００３７】
上記ＬＣＤパネル３は、複数の画素（図示省略）がマトリクス状に配置され、各画素がアクティブマトリクス駆動されるようになっている。ＬＣＤパネル３は、図２に示すように、透明な絶縁性の下側基板３２と、該下側基板３２に対向して設けられた透明な絶縁性の上側基板３１と、該上側基板３１と下側基板３２との間に介在された表示媒体層である液晶層３６とを備えている。
【００３８】
上側基板３１及び下側基板３２には、各画素を駆動するためのＩＴＯ等の駆動信号配線３７がそれぞれ設けられている。上記駆動信号配線３７の端部は、下側基板３２における有効表示領域の外側の額縁領域へ延びており、図３に示すように、下側の領域に集められている。そして、この駆動信号配線３７の端部は、上記共通ＦＰＣ７に接続されている。
【００３９】
上記ＬＣＤパネル３の下側基板３２における額縁領域には、連絡配線部３４が設けられている。連絡配線部３４は、複数の配線により構成され、一端側にタッチパネルを駆動するインターフェース回路（図示省略）が接続されると共に、他端側に連絡用接続端子３３が設けられている。
【００４０】
すなわち、連絡用接続端子３３は、上記各タッチパネル接続端子１３に対し、図３で左右方向に対応して複数設けられている。各連絡用接続端子３３は、連絡配線部３４を構成する複数の配線にそれぞれ接続されている。連絡配線部３４は、図３で下側の額縁領域へ延びており、上記共通ＦＰＣ７に接続されている。言い換えれば、連絡配線部３４の一端側は、ＬＣＤパネル３の駆動信号配線３７と共に、１つのＦＰＣ７に接続され、該ＦＰＣ７を介してインターフェース回路（図示省略）に接続されている。
【００４１】
上記本体パネル１０には、図２に示すように、上記タッチパネル接続端子１３と上記連絡用接続端子３３とを電気的に接続する接続部材であるバネコネクタ６が設けられている。尚、図３では、説明のため、バネコネクタ６の図示を省略している。
【００４２】
上記バネコネクタ６は、弾性を有する導電材料により構成されており、該バネコネクタ６の弾性により、上記タッチパネル接続端子１３と上記連絡用接続端子３３との双方に接触するようになっている。バネコネクタ６の材料としては、銅やアルミニウム等の材料が好適である。
【００４３】
すなわち、バネコネクタ６は、図１及び図２に示すように、複数の折れ曲がり部分を有する金属の板バネにより構成されている。バネコネクタ６は、図４に拡大して示すように、略コ字状の断面を有する狭持部６ａと、該狭持部の一方の端部から連続して延びる延長部６ｂとにより構成されている。
【００４４】
狭持部６ａは、図４で上下方向に対向すると共に、内側に突出する２つの凸部６５が形成されている。上記狭持部６ａの上側の凸部６５は、連絡用接続端子３３に接触する接点６３に構成されている。
【００４５】
一方、延長部６ｂは、上側に位置する凸部６５から斜め方向外側へ延びており、その先端部分に、内側へ突出して形成されると共に、上記タッチパネル接続端子１３に接触する接点６６が設けられている。
【００４６】
バネコネクタ６は、各接続端子１３，３３との接触部分である接点６３，６６が露出していると共に、該接点６３，６６以外の部分が絶縁材料６２により被覆されている。絶縁材料６２としては、シリコン樹脂やアクリル樹脂等の絶縁性を有する樹脂が好適である。
【００４７】
そして、狭持部６ａは、バネコネクタ６が本体パネル１０に装着された状態で、上記ＬＣＤパネル３の下側基板３２、及び連絡用接続端子３３を、下側の凸部６５と接点６３との間で弾性により狭持している。一方、延長部６ｂは、バネコネクタ６が本体パネル１０に装着された状態で、上記タッチパネル接続端子を、接点６６により押圧している。
【００４８】
こうして、本発明に係る液晶表示装置では、タッチパネル１の駆動信号は、インターフェース回路から、共通ＦＰＣ７、連絡配線部３４、連絡用接続端子３３、バネコネクタ６、及びタッチパネル接続端子１３を介して、タッチパネル１の駆動信号配線１７へ供給される。一方、ＬＣＤパネル３の駆動信号は、インターフェース回路から、共通ＦＰＣ７を介してＬＣＤパネル３の駆動信号配線３７へ供給される。
【００４９】
−実施形態１の効果−
したがって、この実施形態１によると、バネコネクタ６自体の弾性により、バネコネクタ６と、タッチパネル接続端子１３及び連絡用接続端子３３とを接続して保持するようにしたので、バネコネクタ６と上記各接続端子１３，３３との接続状態を維持するための保持部材を不要とすることができる。すなわち、保持部材に要するコストを省略すると共に、汎用度の高いバネコネクタ６を用いることにより、全体としての製造コストを低減することができる。
【００５０】
そのことに加えて、タッチパネル接続端子１３を、ＦＰＣではなく、バネコネクタ６を介して連絡用接続端子３３に接続するようにしたので、ＦＰＣの数を低減することができる。
【００５１】
また、本体パネル１０に接続されるＦＰＣが１つの共通ＦＰＣ７にまとめられるため、従来のように２つのＦＰＣが設けられた表示装置に比べて、ＦＰＣの数を低減することができる。
【００５２】
さらに、バネコネクタ６における接点６３，６６以外の部分を、絶縁材料６２により被覆するようにしたので、該バネコネクタ６の周囲に、金属性のベゼルやケーシング内の金属部材等と接触する虞れがあっても、タッチパネル１とインターフェース回路との間で駆動信号を確実に伝えることができる。また、バネコネクタ６を絶縁材料６２で被覆することにより、バネコネクタ６の取り付け作業時に、作業者の手指を保護することもできる。
【００５３】
尚、この実施形態１では、タッチパネル１とＬＣＤパネル３とを、バネコネクタ６により狭持して固定するようにしたが、タッチパネル１とＬＣＤパネル３との間に両面テープ等の接着部材を設けて補強するようにしてもよい。
【００５４】
《発明の実施形態２》
図５は、本発明に係る表示装置の実施形態２を示している。尚、以下の各実施形態において、図１〜図４と同じ部分については、同じ符号を付してその詳細な説明は省略する。
【００５５】
この実施形態２は、タッチパネル１とＬＣＤパネル３とが一体化して構成されている点で、上記実施形態１と異なっている。
【００５６】
すなわち、ＬＣＤパネル３は、互いに対向する一対の基板である上側基板１１と共通基板１４とにより構成されている。一方、タッチパネル１は、互いに対向する一対の基板である上記共通基板１４と下側基板３２とにより構成されている。言い換えれば、ＬＣＤパネル３の一方の基板１４と、タッチパネル１の一方の基板１４とは、同一の基板であり、該表示パネル及びタッチパネルに共通の基板に構成されている。
【００５７】
−実施形態２の効果−
したがって、この実施形態２によると、上記実施形態１と同様の効果を得ることができることに加え、タッチパネル１及びＬＣＤパネル３を、共通基板１４を含む３枚の基板により構成するようにしたので、装置の薄型化及び軽量化を図ることができる。
【００５８】
《発明の実施形態３》
図６は、本発明に係る表示装置の実施形態３を示している。この実施形態３は、上記実施形態２に対し、連絡用接続端子３３の位置を変更し、該連絡用接続端子３３を共通基板１４（ＬＣＤパネル３の上側基板）の下面に設けるようにしたものである。
【００５９】
そして、バネコネクタ６は、共通基板１４の上面に形成されたタッチパネル接続端子１３と、共通基板１４の下面に形成された連絡用接続端子３３とを接続するようになっている。
【００６０】
すなわち、バネコネクタ６は、図６に示すように、狭持部６ａのみにより構成されており、延長部６ｂを有していない。狭持部６ａの２つの凸部６５は、それぞれ接点６３に構成されている。また、バネコネクタ６は、上記２つの接点６３を除く部分が絶縁材料（図示省略）により被覆されている。そして、バネコネクタ６は、共通基板６を狭持することにより、図６で上側の接点６３とタッチパネル接続端子とが接触すると共に、下側の接点６３と連絡用接続端子３３とが接触するように構成されている。
【００６１】
一方、共通基板１４の下面には、上記各実施形態と同様の共通ＦＰＣ（図示省略）が設けられており、該共通ＦＰＣに対し、上記連絡用接続端子３３から延びる連絡配線部（図示省略）と、共通基板１４の下面に集められたＬＣＤパネル３の駆動信号配線３７とが、まとめて接続されている。
【００６２】
また、図６では、タッチパネル１の一方側基板とＬＣＤパネル３の一方側基板を共通基板１４で共通に用いているが、実施形態１の様にタッチパネル１の一方側基板とＬＣＤパネル３の一方側基板とを個別に設けるようにしてもよい。
【００６３】
−実施形態３の効果−
したがって、この実施形態３によると、バネコネクタ６を、断面コ字状の比較的簡単な形状により形成することができる。さらに、タッチパネル接続端子１３と連絡用接続端子とを、上下方向に重なるように設けることができるため、該各接続端子を左右に並べて設ける場合に比べて、表示装置の狭額縁化を図ることができる。
【００６４】
《発明の実施形態４》
図７及び図８は、本発明に係る表示装置の実施形態４を示している。上記実施形態１では、ＬＣＤパネル３側に連絡配線部３４を設けていたのに対し、この実施形態４は、タッチパネル１側に連絡配線部３４を設けるようにしたものである。
【００６５】
拡大平面図である図８に示すように、ＬＣＤパネル３の額縁領域には、該ＬＣＤパネル３の駆動信号配線３７が引き出されており、該駆動信号配線３７の端部には、ＬＣＤパネル接続端子３８が設けられている。
【００６６】
タッチパネル１には、連絡用接続端子３３が、上記ＬＣＤパネル接続端子３８に対応して設けられている。一方、図８に示すように、タッチパネル１の下側の額縁領域には、共通ＦＰＣ７が設けられており、該共通ＦＰＣ７と連絡用接続端子３３とは、連絡配線部３４により接続されている。
【００６７】
また、上記共通ＦＰＣ７には、タッチパネル１の駆動信号配線１７が接続されている。つまり、この実施形態においても、上記実施形態１と同様に、連絡配線部３４の一端側は、タッチパネル１の駆動信号配線１７と共に、１つの共通ＦＰＣ７に接続され、該共通ＦＰＣ７を介してインターフェース回路（図示省略）に接続されている。
【００６８】
そして、上記実施形態１と同様に、バネコネクタ６が設けられることにより、該バネコネクタ６を介して、連絡用接続端子３３とＬＣＤパネル接続端子３８とが電気的に接続されている。
【００６９】
こうして、タッチパネル１の駆動信号は、インターフェース回路から、共通ＦＰＣ７を介してタッチパネル１の駆動信号配線１７へ供給される。一方、ＬＣＤパネル３の駆動信号は、共通ＦＰＣ７、連絡配線部３４、連絡用接続端子３３、バネコネクタ６、及びＬＣＤパネル接続端子３８を介して、ＬＣＤパネル３の駆動信号配線３７へ供給される。したがって、この実施形態４によっても、上記実施形態１と同様の効果を得ることができる。
【００７０】
《発明の実施形態５》
図９は、本発明に係る表示装置の実施形態５を示している。この実施形態５は、上記実施形態１に対し、バネコネクタ６と、タッチパネル接続端子１３及び連絡用接続端子３３との各接触部分を、樹脂材料８によりそれぞれ固着するようにしたものである。
【００７１】
すなわち、図４及び図９に示すように、バネコネクタ６の接点６６とタッチパネル接続端子１３とは、互いに接触した状態で樹脂材料８により固着されている。一方、バネコネクタ６の接点６３と連結用接続端子３３とは、互いに接触した状態で樹脂材料８により固着されている。樹脂材料８としては、ＵＶ硬化型樹脂や瞬間接着剤等の樹脂が好ましい。
【００７２】
したがって、この実施形態５によると、バネコネクタ６の接点６３，６６と、タッチパネル接続端子１３及び連絡用接続端子３３とは、バネコネクタ６自体の弾性により接触保持された状態で、樹脂材料８により固着されているため、仮に、バネコネクタ６のバネ強度よりも大きな衝撃力が外部から加わったとしても、位置ズレを防止して接触状態をより確実に維持することができる。
【００７３】
《その他の実施形態》
上記各実施形態では、バネコネクタ６を絶縁材料６２により被覆するようにしたが、請求項１に係る発明の他の実施形態としては、そのような絶縁材料６２を省略するようにしてもよい。
【００７４】
また、上記各実施形態では、表示装置として液晶表示装置について説明したが、請求項１に係る発明の他の実施形態としては、有機ＥＬ層を有する有機ＥＬ表示装置や、プラズマディスプレイ等の表示装置に適用することもできる。
【産業上の利用可能性】
【００７５】
以上説明したように、本発明は、表示パネルとタッチパネルとを備える表示装置について有用であり、特に、表示パネル又はタッチパネルとインターフェース回路基板等との接続構造に対し、接続部材としてのＦＰＣの数を低減すると共に、接続部材以外の保持部材を不要として製造コストを低減する場合に適している。
【図面の簡単な説明】
【００７６】
【図１】実施形態１の表示装置の本体パネルを示す平面図である。
【図２】図１におけるII−II線断面図である。
【図３】実施形態１の表示装置の要部を拡大して示す平面図である。
【図４】バネコネクタを拡大して示す側面図である。
【図５】実施形態２の表示装置における本体パネルの断面を示す断面図である。
【図６】実施形態３の表示装置における本体パネルの断面を示す断面図である。
【図７】実施形態４の表示装置における本体パネルの断面を示す断面図である。
【図８】実施形態４の表示装置の要部を拡大して示す平面図である。
【図９】実施形態５の表示装置における本体パネルの断面を示す断面図である。
【図１０】従来の表示装置の本体パネルを示す平面図である。
【図１１】図１０におけるXI−XI線断面図である。
【図１２】保持部材を備える従来の表示装置を示す断面図である。
【符号の説明】
【００７７】
１  タッチパネル
３  ＬＣＤパネル（表示パネル）
６  バネコネクタ（接続部材）
７  共通ＦＰＣ（フレキシブルプリント基板）
８  樹脂材料
１３  タッチパネル接続端子
１４  共通基板
１７  タッチパネルの駆動信号配線
３３  連絡用接続端子
３４  連絡配線部
３７  ＬＣＤパネルの駆動信号配線
３８  ＬＣＤパネル接続端子（表示パネル接続端子）
６２  絶縁材料
【図１】
2005044247.tif 000003
【図２】
2005044247.tif 000004
【図３】
2005044247.tif 000005
【図４】
2005044247.tif 000006
【図５】
2005044247.tif 000007
【図６】
2005044247.tif 000008
【図７】
2005044247.tif 000009
【図８】
2005044247.tif 000010
【図９】
2005044247.tif 000011
【図１０】
2005044247.tif 000012
【図１１】
2005044247.tif 000013
【図１２】
2005044247.tif 000014